(57)【要約】【課題】  遊技盤裏面等に装備される遊技装置類の配置場所が球誘導レールによって制限されないパチンコ機を提供する。【解決手段】  上記課題を解決する本発明のパチンコ機１０は、球貯留タンク１９と、賞球払出し機構部１５と、該球貯留タンク１９に貯留するパチンコ球を該賞球払出し機構部１５に導く球誘導レール２０とを備え、球誘導レール２０が球貯留タンク１９外辺に沿うように張り出した状態で配置して設けられ、遊技盤１６に設けられた遊技装置２９はパチンコ機の裏面に突出しており、遊技装置２９の裏面突出部の上部が球誘導レー２０ルと遊技盤１６の間の空間に位置するように遊技装置２９が遊技盤１６に取り付けられていることを特徴とする。【選択図】        図１
2008155044.tif 000002
【特許請求の範囲】
【請求項１】
球貯留タンクと、賞球払出し機構部と、前記球貯留タンクに貯留するパチンコ球を前記賞球払出し機構部に導く球誘導レールと、遊技盤とを備えたパチンコ機であって、
前記パチンコ機裏面の上部には前記球貯留タンクが装着されると共に、前記パチンコ機裏面の側方には前記賞球払出し機構部が装着され、
前記球誘導レールが前記球貯留タンク外辺に沿うように張り出した状態で配置して設けられ、
前記遊技盤に設けられた遊技装置は前記パチンコ機の裏面に突出しており、前記遊技装置の裏面突出部の上部が前記球誘導レールと前記遊技盤の間の空間に位置するように前記遊技装置が前記遊技盤に取り付けられていることを特徴とするパチンコ機。
【発明の詳細な説明】
【技術分野】
【０００１】
本発明はパチンコ機に関し、詳しくは、球貯留タンクと賞球払出し機構部と球誘導レールとを備えたパチンコ機の裏面構造に関する。
【背景技術】
【０００２】
一般的なパチンコ機（弾球遊技機）の裏面側には、いわゆるパチンコ遊技に伴う賞球を遊技者に払い出すための種々の装置類が装備されている。典型的には図７（Ａ）に示すように、パチンコ機１の裏面側にはこれら装置類として、賞球用パチンコ球を一時的に貯留するための球貯留タンク２、所定のパチンコ球を賞球としてパチンコ機１表面に設けられた受け皿等に放出するための賞球払出し機構部４（典型的には遊技盤８の側方部分に設置される）、および、当該球貯留タンク２から当該賞球払出し機構部４にパチンコ球を導き入れる球誘導レール３が装備されている。
【０００３】
従来の球誘導レール３は、比較的多量のパチンコ球が一時にまとまって賞球払出し機構部４に供給される場合でもそれら供給されるパチンコ球が常に整列された状態で賞球払出し機構部４に到達し得るように形成されている。すなわち、図７（Ｂ）および図８に示すように、従来の球誘導レール３は、遊技球を一列に整列させるための球通路３ａを構成するレールであってパチンコ機１本体の裏面に沿ってほぼ直線状に形成されている。また、上記球通路３ａは、パチンコ球を２列並べて流下し得るように、一般的には並列状態に形成されている。なお、球誘導レール３は、パチンコ球が自重で球通路３ａを緩やかに流下していくように所定の傾斜をもたせて形成されている。また、複数のパチンコ球が上記球通路３ａを転動・流下していく過程において、当該複数のパチンコ球が相互に重ならずに自然に一列に整列するには当該球誘導レール３に十分な長さが必要である。従って、パチンコ球を整列させつつ流下させるための所定の傾斜と十分な長さとを確保するため、従来の球誘導レール３は上記球貯留タンク２の下方から賞球払出し機構部４に向かってパチンコ機１裏面を横断するようにして当該パチンコ機１裏面に密着して配置されている（図７（Ａ）および図８参照）。
【０００４】
その一方で、パチンコ機１の裏面には、上記賞球払出しに係る装置類の他にも種々の遊技装置や部品類が配置されている。例えば、パチンコ遊技を実施するための遊技装置類を配備する遊技盤８裏面には、いわゆるセンター役物６等の大型遊技装置がパチンコ機１裏面側にその一部を突出させて配置されている（図７（Ａ）参照）。ところで、近年のパチンコ遊技の高度化に伴ってパチンコ遊技に用いられる遊技装置や部品も多様化・大型化してきている。さらには、このような多様化・大型化した遊技装置類を用いて高度化したパチンコ遊技を構築するための前提として、これら遊技装置類を遊技盤８やその周辺部に自由にレイアウトし得ることが望まれている。すなわち、当該遊技盤８裏面あるいはパチンコ機１裏面において、これら遊技装置類を自由に配置するに足る実質的スペース（空間）が十分確保されることが要求されている。
【発明の開示】
【発明が解決しようとする課題】
【０００５】
しかしながら、上述のとおり、従来のパチンコ機１の裏面には球誘導レール３が配置されており、これが障害物となって上記センター役物６のようなパチンコ機１裏面にその一部が突出若しくは露出する大型遊技装置を装着し得る場所が制限されていた。すなわち、現状のパチンコ機１においては上記球誘導レール３との接触をさけるため、球誘導レール３の下方にセンター役物６等の遊技装置を配置していた。そして、センター役物６等の大型遊技装置を遊技盤８のさらに上方部に配置すること、或いはこれら遊技装置をさらに大型化することは当該球誘導レール３の存在によって制限されていた。
【０００６】
本発明はこのような点に鑑みてなされたものであり、その目的とするところは、パチンコ機（典型的には遊技盤裏面）に装備される遊技装置類の配置場所が上記球誘導レールによって制限されないパチンコ機を提供することである。
【課題を解決するための手段】
【０００７】
上記目的を実現するため、本発明においては、球貯留タンクと、賞球払出し機構部と、前記球貯留タンクに貯留するパチンコ球を前記賞球払出し機構部に導く球誘導レールと、遊技盤とを備えたパチンコ機であって、前記パチンコ機裏面の上部には前記球貯留タンクが装着されると共に、前記パチンコ機裏面の側方には前記賞球払出し機構部が装着され、前記球誘導レールが前記球貯留タンク外辺に沿うように張り出した状態で配置して設けられ、前記遊技盤に設けられた遊技装置は前記パチンコ機の裏面に突出しており、前記遊技装置の裏面突出部の上部が前記球誘導レールと前記遊技盤の間の空間に位置するように前記遊技装置が前記遊技盤に取り付けられていることを特徴とするパチンコ機（以下「本発明の第一のパチンコ機」という。）を提供する。  なお、本明細書において「空間」とは、パチンコ機の組立ての際に部材間に生じ得る意図しない微細な隙間や歪みに基づく空間をいうのではなく、パチンコ遊技用の装置（例えばセンター役物）または部品（例えば制御基板収納ボックス）を実際に配置し得る規模の有効な空間をいう。
【０００８】
本発明の第一のパチンコ機では、パチンコ機本体と上記球誘導レールとの間に空間を確保するため、当該球誘導レールがその一部を張り出した状態（即ちパチンコ機本体から離れた状態）でパチンコ機本体に装備される。このため、従来のパチンコ機において球誘導レールに占有されていた場所にも当該球誘導レールに干渉されることなく上記空間を利用してパチンコ遊技用装置または部品を配置することができる。従って、本発明の第一のパチンコ機によれば、パチンコ遊技用装置または部品の配置場所に関する自由度が高まり、結果、高度化したパチンコ遊技に応じたこれら装置または部品の多彩なレイアウトを実現することができる。さらに、本発明の第一のパチンコ機によれば、上記空間が形成された結果、高度化したパチンコ遊技に対応させてさらに大型化したセンター役物等パチンコ遊技用装置または部品を配置することが可能となる。
【０００９】
また、上記目的を達成する好ましい本発明のパチンコ機として、上記本発明の第一のパチンコ機において、上記球貯留タンクはパチンコ機本体に装着された遊技盤の上方に装着されており、上記賞球払出し機構部は当該遊技盤の側方に装着されており、ここで上記球誘導レールは当該遊技盤に装着される遊技装置類を配置し得る実質的な空間が当該球誘導レールとパチンコ機本体との間に確保されるようにして設けられているパチンコ機（以下「本発明の第二のパチンコ機」という。）を提供する。
【００１０】
本発明の第二のパチンコ機では、遊技盤の上部（即ち球貯留タンクの下方）において当該遊技盤に装着される遊技装置類（典型的にはセンター役物）を配置し得る実質的空間が確保される。この空間により、本発明の第二のパチンコ機においては、遊技装置を配置する場所を遊技盤の上部にまで拡張することができる。従って、本発明の第二のパチンコ機によれば、従来のパチンコ機においては球誘導レールによって制限されていた遊技盤の最上部近くにまでセンター役物等の大型遊技装置を配置することができる。このため、パチンコ遊技に応じた遊技用装置の多彩なレイアウトを遊技盤のほぼ全体を使用して実現することができる。
【００１１】
また、本発明の第一、第二のパチンコ機として特に好ましいものは、上記球誘導レールにおけるパチンコ機本体から張り出した部分が、パチンコ機本体から突出して設けられた突出部に支持されているパチンコ機としてもよい。このパチンコ機によれば、球誘導レールにおける上記張り出した部分（即ちパチンコ機本体から離れた部分）をパチンコ機本体に対して安定して支持することができる。このため、球誘導レールにおける当該張り出した部分に大きな振動が生じるのを未然に防ぐことができる。
【発明の効果】
【００１２】
本発明によれば、パチンコ機（典型的には遊技盤裏面）に装備されるパチンコ遊技用の装置や部品の配置場所が上記球誘導レールによって制限されないパチンコ機を提供することができる。
【００１３】
すなわち、本発明の第一のパチンコ機によれば、パチンコ機本体と球誘導レールとの間に空間が確保される。このため、当該空間を利用して当該球誘導レールに干渉されることなくパチンコ遊技用装置または部品を配置することができる。従って、本発明の第一のパチンコ機によれば、パチンコ遊技用装置または部品の配置場所に関する自由度を向上させることができる。また、本発明の第二のパチンコ機によれば、パチンコ機に装備される遊技盤の上部（即ち球貯留タンクの下方近く）において空間が確保される。従って、本発明の第二のパチンコ機によれば、センター役物その他の遊技装置を配置する場所を遊技盤の上端部近くにまで拡張することが可能となり、高度化したパチンコ遊技に応じた遊技装置類の多彩なレイアウトを遊技盤のほぼ全体を使用して実現することができる。さらに、これらのパチンコ機では、球誘導レールの張り出し部分がパチンコ機本体に設けられた突出部によって支持したものでもよい。このようなパチンコ機によれば、パチンコ遊技用装置または部品の配置場所に関する自由度を向上させることができるとともに、当該球誘導レールにおいてパチンコ球の安定した流動を妨げるような振動が発生するのを防止することができる。
【発明を実施するための最良の形態】
【００１４】
以下、本発明の第一の実施形態として、上記本発明の第一および第二のパチンコ機の好適な一実施形態を図面を参照しつつ説明する。
なお、図１（Ａ）は、本実施形態に係るパチンコ機１０の裏面構成を示す背面図である。
【００１５】
本実施形態に係るパチンコ機１０は、上述の図７に示すようなパチンコ機１従来品と同様、長方形枠状に成形された木枠１１の前面に額縁状に成形された前枠１２および金枠（図示せず）を備えており、その内側には遊技盤面（即ち、釘や風車等を適当に配置した遊技領域）を形成する遊技盤１６が配備されている。
この遊技盤１６には所定のパチンコ遊技に対応する遊技盤面を構成するために各種の遊技装置（例えば、センター役物２９や図示しない変動入賞装置、音源、装飾灯等）が備えられている。
【００１６】
図１（Ａ）に示すように、このパチンコ機１０の裏面側には、遊技球発射装置１８や機構板１３が着脱可能に装着されている。而して、機構板１３の中央に形成された開口部１３ａには、パチンコ機１０に装着された遊技盤１６の裏面が露出しており、当該露出部分を利用してセンター役物２９等の遊技装置や部品（例えばメイン制御基板収納ボックス）が遊技盤１６裏面に装着されている。このほか、機構板１３には外部電源に接続される配電盤１４やパチンコ機１０正面側に配備される電気部品（装飾灯等）の動作を制御する枠制御装置１７が備えられており、さらに遊技盤１６の側方には本パチンコ機１０における賞球払出しに係る球貯留タンク１９、球誘導レール２０、賞球払出し機構部１５が装着されている。以下、これら賞球払出しに係る装置類について詳細に説明する。
【００１７】
図１（Ａ）に示すように、この機構板１３の上部には、球貯留タンク１９が装着されている。この球貯留タンク１９は、機外から搬送されてきたパチンコ球を賞球として一時的に多量に蓄え得る容積が確保される箱状に形成されている。而して、図２に示すように、この球貯留タンク１９の底部であってパチンコ機１０本体から離れた外辺近くには、当該タンク１９内の貯留球を後述する球誘導レール２０に流出させるための貯留球放出口１９ａが形成されている。なお、球貯留タンク１９の底面は当該貯留球放出口１９ａに向けて貯留球が自然に転動するように傾斜が設けられている。
【００１８】
一方、遊技盤１６の側方に相当する機構板１３上には、賞球払出し機構部１５が設けられている。この賞球払出し機構部１５には、後述する球誘導レール２０に接続される球送り通路、当該球送り通路に配列されたパチンコ球のうちの所定数を賞球としてパチンコ機１０の受け皿に払い出す賞球放出装置、および当該球送り通路にパチンコ球が配給されないことを検出して球切れ信号をホールコンピュータ等に送る球切れ検出スイッチ等（いずれも図示せず）が装備されている。なお、本実施形態に係る賞球払出し機構部１５の構造自体（賞球放出装置の構成等）は通常のパチンコ機に使用されているものであればよく特に本発明を特徴付けるものではないため詳細な説明は省略する。
【００１９】
次に本実施形態に係るパチンコ機１０を特徴付ける球誘導レール２０について詳細に説明する。図１（Ａ）に示すように、本実施形態に係る球誘導レール２０（以下「本誘導レール２０」と略称する。）は、その両端が上記球貯留タンク１９と賞球払出し機構部１５とにそれぞれ接続するようにして設置されている。図２および図３（Ｂ）に示すように、本誘導レール２０には仕切り片によって仕切られた二つの球通路２０ａが並列に形成されており、その底部には当該球通路２０ａ上を流れるパチンコ球の一部が填り込み得る溝２０ｂが設けられている。これにより、球通路２０ａ上におけるパチンコ球の転動を安定化させることができるとともに、本誘導レール２０上に塵や埃が堆積するのを防止することもできる。而して、本誘導レール２０は、上記球通路２０ａの一端が上記球貯留タンク１９の貯留球放出口１９ａの直下に配置されるようにして機構板１３に取り付けられている。すなわち、図２および図３（Ａ）に示すように、本誘導レール２０の一端（球貯留タンク１９側）には本誘導レール２０を機構板１３に取り付けるための支持部２２が設けられている。そして、この支持部２２を機構板１３の所定位置に予め設けられた取付孔（典型的には取付用ボス）にビス２３で固定することによって、上記球通路２０ａの一端は上記貯留球放出口１９ａの直下に配置されることとなる。
【００２０】
一方、図２に示すように、本誘導レール２０における球通路２０ａ形成部分（即ちレール本体）は、球貯留タンク１９外辺に沿うようにしてパチンコ機１０本体から張り出した（離れた）状態を維持しつつ、上記支持部２２から遊技盤１６側方に設けられた上記賞球払出し機構部１５に向かって延伸されている。また、本誘導レール２０は、球通路２０ａ上のパチンコ球が賞球払出し機構部１５方向に自然に転動するように傾斜を設けて設置されている。而して、本誘導レール２０は、当該賞球払出し機構部１５近傍においてパチンコ機１０本体方向に湾曲しつつ延伸されており、その端部は上記賞球払出し機構部１５における球送り通路（図示せず）に接続されている。そして、この状態のまま機構板１３上にビス２４によって固定されている（図１（Ａ）および図３（Ｂ）参照）。このように本誘導レール２０を取り付けることによって、上記貯留球放出口１９ａから放出されたパチンコ球は、当該貯留球放出口１９ａの真下にある本誘導レール２０上で受け止められた後にパチンコ機１０本体から張り出した（離れた）状態で並列に配置される上記球通路２０ａ上を、順次、転動・流下しつつ上記賞球払出し機構部１５（球送り通路）に誘導される。
【００２１】
以上のようにして本誘導レール２０をパチンコ機１０本体から張り出した状態で配置した結果、パチンコ機１０本体（即ち機構板１３）と本誘導レール２０（ここでは球通路２０ａ形成部分）との間には、従来のパチンコ機においては生じ得なかった実質的な空間が形成されている。すなわち、本実施形態に係るパチンコ機１０では、パチンコ機１０背面側において遊技盤１６上方に装着された上記球貯留タンク１９の外辺寄りに上記貯留球放出口１９ａを設けると共に本誘導レール２０をパチンコ機１０本体から張り出した状態で当該球貯留タンク１９外辺に沿って配置したため、遊技盤１６に装着される遊技装置類の配置場所に関して本誘導レール２０が妨害物とならなくなった。このため、遊技装置類の配置場所を従来のパチンコ機よりも遊技盤１６の上方向に拡張することができる。すなわち、上記実質的な空間の存在によって、球貯留タンク１９に近接するような高い位置にセンター役物２９等を配置した場合であっても当該センター役物２９等の突出部分が本誘導レール２０に接触することがない（図１（Ｂ）参照）。従って、本実施形態に係るパチンコ機１０においては、上記実質的な空間を利用して、センター役物２９のような大型の遊技装置若しくは部品（メイン制御基板収納ボックス等）を従来のパチンコ機においては不可能であった球貯留タンク１９に近接するような高い位置にも配置することができる。以上のとおり、本実施形態に係るパチンコ機１０によれば、センター役物２９等の遊技装置を配置し得る場所を遊技盤１６裏面に広範囲に確保することができるため、パチンコ遊技用装置または部品の配置場所に関する自由度を高めることができる。これにより、パチンコ遊技に応じた遊技装置類の多彩なレイアウトを実現することができる。
【００２２】
以上、本発明の第一および第二のパチンコ機に係る好適な一実施形態を図面を参照しつつ説明したが、本発明においてはパチンコ機本体と球誘導レールとの間に上記実質的な空間が形成されておればよく、球誘導レールの形状や取付形態を上記実施形態に限定することを意図したものではない。以下、第二の実施形態として、本発明の第一、第二および第三のパチンコ機として好適なパチンコ機３０における球誘導レール４０の取付構造を図４〜図６を参照しつつ説明する。
【００２３】
図４（Ａ）は、本実施形態に係るパチンコ機３０の裏面側の構成を示す背面図である。本図に示すように、本実施形態に係るパチンコ機３０も、上述の第一の実施形態に係るパチンコ機１０と同様の裏面構成を有しており、後述する球誘導レール４０の取り付けに係るもの以外に異なるところがない。すなわち、図４（Ａ）に示すように、機構板３３の上部には、上記第一の実施形態に係るものと同様の球貯留タンク３９が配備されており、当該球貯留タンク３９の底部の外辺近くには貯留球放出口３９ａが形成されている（図５参照）。一方、遊技盤１６の側方部に相当する機構板３３上には、上記第一の実施形態に係るものと同様の賞球払出し機構部１５が設けられている。
【００２４】
次に本実施形態に係るパチンコ機３０を特徴付ける球誘導レール４０について詳細に説明する。図４（Ａ）に示すように、本実施形態に係る球誘導レール４０は、上述の本誘導レール２０と同様、その両端が上記球貯留タンク３９と賞球払出し機構部１５とにそれぞれ接続するようにして設置されている。而して、図５および図６（Ｂ）に示すように、本実施形態に係る球誘導レール４０においても、仕切り片によって仕切られた二つの球通路４０ａが並列に形成されており、その底部には当該球通路４０ａ上を流れるパチンコ球の一部が填り込み得る溝４０ｂが設けられている。これにより、球通路４０ａ上におけるパチンコ球の転動を安定化させるとともに球誘導レール４０上に塵や埃が堆積するのを防止することができる。
【００２５】
ところで、図４（Ｂ）に示すように、本実施形態に係るパチンコ機３０の機構板３３においては、その中央に形成された開口部３３ａの上辺部分がパチンコ機３０の正面からみて後方にほぼ垂直に迫り出されている。さらに、その迫り出した部分の先端部分は上記貯留球放出口３９ａの手前（即ち貯留球放出口３９ａの内辺に沿った位置）でパチンコ機３０本体とほぼ並行になるようにして鉛直方向に折り曲げられている。而して、この鉛直方向に折り曲げられた先の部分が本実施形態に係る突出部３３ｂである。これに対し、本実施形態に係る球誘導レール４０は、上述の本誘導レール２０と同様、上記球通路４０ａの一端が上記球貯留タンク３９の貯留球放出口３９ａの直下に配置されるようにして機構板３３（突出部３３ｂ）に取り付けられる。すなわち、図５および図６（Ａ）に示すように、本実施形態に係る球誘導レール４０の一端（球貯留タンク３９側）には当該球誘導レール４０を機構板３３に取り付けるための支持部４２が設けられており、この支持部４２はパチンコ機３０正面からみて後方に突出して形成された上記機構板３３突出部３３ｂの所定位置にビス４３によって固定される。このことによって、上述の第一の実施形態と同様、上記球通路４０ａの一端が上記貯留球放出口３９ａの直下に配置されることとなる。
【００２６】
一方、図５に示すように、本実施形態に係る球誘導レール４０における球通路４０ａ形成部分（レール本体）は、球貯留タンク３９外辺に沿うようにしてパチンコ機３０本体から張り出した（離れた）状態を維持しつつ、かつ、球通路４０ａ上のパチンコ球が自然に転動するように傾斜を設けて上記支持部４２から賞球払出し機構部１５に向かって延伸されている。また、本実施形態に係る球誘導レール４０は、球通路４０ａ上のパチンコ球が賞球払出し機構部１５方向に自然に転動するように傾斜を設けて設置されている。而して、上述のとおり、本実施形態においては上記機構板３３に設けられた突出部３３ｂが上記貯留球放出口３９ａの内辺に沿ってパチンコ機３０本体とほぼ平行となるように配置されている。このため、本実施形態に係る球誘導レール４０の上記延伸部分は、その内側外壁部が当該突出部３３ｂ表面に面接触し得るようにして延伸されている（図４（Ｂ）および図５参照）。従って、本実施形態に係る球誘導レール４０では、貯留球放出口３９ａ直下から賞球払出し機構部１５近傍に至る上記延伸部分をビス等（図示せず）を用いて上記突出部３３ｂに固定することができる。而して、上記第一の実施形態と同様、本実施形態に係る球誘導レール４０は、賞球払出し機構部１５近傍においてパチンコ機１０本体方向に湾曲しつつ延伸されており、その端部は上記賞球払出し機構部１５における球送り通路（図示せず）に接続されている。そして、この状態のまま機構板３３上にビス４４によって固定されている（図４（Ａ）および図６（Ｂ）参照）。これにより、本実施形態に係るパチンコ機３０においても、上記貯留球放出口３９ａから放出されたパチンコ球は、当該貯留球放出口３９ａの真下にある球誘導レール４０上で受け止められた後にパチンコ機３０本体から張り出した（離れた）状態で並列に配置される上記球通路４０ａ上を、順次、転動・流下しつつ上記賞球払出し機構部１５（球送り通路）に誘導される。
【００２７】
なお、本実施形態においては、球誘導レール４０の上記湾曲された部分においても当該球誘導レール４０の内側外壁部に面接触し得るようにして機構板３３が迫り出されている（図５）。このため、上記突出部３３ｂと同様、当該迫り出し部分においても本実施形態に係る球誘導レール４０の湾曲した部分をビス等によって固定することができる。なお、当該迫り出し部分に代えて機構板３３に固着させた状態で補助片を別途突設しておいてもよい。この場合、かかる補助片を本発明の突出部として用いて球誘導レール４０の湾曲部分をビス着してもよい。
【００２８】
以上のようにして本実施形態に係る球誘導レール４０をパチンコ機３０本体から張り出した状態で配置することによって、本実施形態においても上記第一の実施形態と同様、パチンコ機３０本体と球誘導レール４０の上記延伸部分（即ち上記突出部３３ｂに面接触している部分）との間には、従来のパチンコ機においては生じ得なかった実質的な空間が形成されている（図４（Ｂ）および図５）。このため、遊技盤１６に装着される遊技装置または部品の配置場所に関してもはや球誘導レール４０が妨害物とはならず、結果、図４（Ｂ）に示すように、当該配置場所を遊技盤１６の上方向に拡張することができる。従って、本実施形態に係るパチンコ機３０によっても、当該パチンコ機３０本体から離れた位置に配置された球誘導レール４０と当該パチンコ機３０本体との間に形成された上記実質的な空間を利用して、センター役物２９のような大型の遊技装置若しくは部品を従来のパチンコ機においては不可能であったパチンコ機３０上部にある球貯留タンク３９に近接するような高い位置にも配置することができる。
【００２９】
さらに、本実施形態においては、上述のとおり、球誘導レール４０におけるパチンコ機３０本体から張り出した状態で配置した部分（上記延伸部分）をパチンコ機３０本体（即ち機構板３３）に設けた上記突出部３３ｂによって支持することができる。このため、当該球誘導レール４０を張り出した状態のまま強固に安定化させて配置することが可能となり、パチンコ球の安定した転動・流下を妨げるような大きな振動が当該球誘導レール４０に発生するのを防止することができる。
【００３０】
以上、本発明のパチンコ機（上記第一、第二、第三のパチンコ機を包含する。）として好適ないくつかの形態を説明したが、本発明は上述の第一および第二の実施形態に限定されることなく、本明細書および図面に開示された事項に基づいた種々の形態で実施され得る。例えば、上記各実施形態における球誘導レール２０，４０は何れもパチンコ機１０，３０本体から張り出した部分（ここでは球通路２０ａ，４０ａ形成部分）が一部湾曲した部分を除いて直線形状に形成されていたが、本発明においては球誘導レールとパチンコ機本体との間に上記実質的な空間が形成されておればよく、このような直線的な張り出し形状に限定されない。
例えば、球貯留タンクとの接続部分から賞球払出し機構部との接続部分に至るまでの張り出し部分が、パチンコ球が流下し得るスロープをもたせた円弧状のものであってもよい。
【００３１】
また、上記各実施形態においてはパチンコ機１０，３０本体と球誘導レール２０，４０との間に形成された上記実質的な空間に何れもセンター役物２９を配置していたがこれに限定されるものではない。パチンコ機の構成如何によっては、上記実質的な空間を利用して遊技盤１６裏面に突出して装着される他のパチンコ遊技用装置（大型の入賞装置等）や部品（メイン基板ボックス等）を配置してもよい。あるいは、上記実質的な空間を利用して、遊技盤以外のパチンコ機本体部（例えば機構板）に装着される遊技用装置や部品を配置してもよい。このような変更例は本発明の実施の一例であり、本明細書および図面に開示された情報に基づく当業者の設計事項にすぎないもので本願特許請求の範囲から逸脱するものではない。
【図面の簡単な説明】
【００３２】
【図１】（Ａ）は一実施形態に係る本発明のパチンコ機を示す背面図であり、（Ｂ）は（Ａ）における一部破断のＡ−Ａ線矢視断面図である。
【図２】図１（Ａ）におけるＤ−Ｄ線矢視断面図である。
【図３】（Ａ）は図１（Ａ）における一部破断のＢ−Ｂ線矢視断面図であり、（Ｂ）は図１（Ａ）における一部破断のＣ−Ｃ線矢視断面図である。
【図４】（Ａ）は一実施形態に係る本発明のパチンコ機を示す背面図であり、（Ｂ）は（Ａ）における一部破断のＥ−Ｅ線矢視断面図である。
【図５】図４（Ａ）におけるＨ−Ｈ線矢視断面図である。
【図６】（Ａ）は図４（Ａ）における一部破断のＦ−Ｆ線矢視断面図であり、（Ｂ）は図４（Ａ）における一部破断のＧ−Ｇ線矢視断面図である。
【図７】（Ａ）は従来のパチンコ機の裏面構成を示す背面図であり、（Ｂ）は従来のパチンコ機の要部を示す一部破断の縦断面図である。
【図８】従来のパチンコ機の要部を示す横断面図である。
【符号の説明】
【００３３】
１，１０，３０  パチンコ機
２，１９，３９  球貯留タンク
３，２０，４０  球誘導レール
３ａ，２０ａ，４０ａ  球通路
４，１５  賞球払出し機構部
６，２９  センター役物
８，１６  遊技盤
１３，３３  機構板
１３ａ，３３ａ  開口部
１９ａ，３９ａ  貯留球放出口
２２，４２  支持部
３３ｂ  突出部
【図１】
2008155044.tif 000003
【図２】
2008155044.tif 000004
【図３】
2008155044.tif 000005
【図４】
2008155044.tif 000006
【図５】
2008155044.tif 000007
【図６】
2008155044.tif 000008
【図７】
2008155044.tif 000009
【図８】
2008155044.tif 000010